(57)【要約】  セカンドパーティ広告データを分析するためのシステム、方法、及びコンピュータプログラム製品の実施形態が本明細書に開示される。一実施形態は、広告キャンペーン用のデータを集約するためにソースが使用する一組の次元を決定することによって動作する。実施形態は、広告キャンペーン、決定された一組の次元、及び関心対象の次元に少なくとも部分的に基づいて、サブユニット広告キャンペーンを作成する。実施形態は、サブユニット広告キャンペーンの実行と関連付けられた測定データを受信する。次いで、実施形態は、測定データを分析する。
2021523439.tif 000002
【特許請求の範囲】
【請求項１】
広告キャンペーンを分析するためのコンピュータ実装方法であって、
少なくとも１つのプロセッサによって、前記広告キャンペーン用のデータを集約するためにソースが使用する一組の次元を決定することと、
前記少なくとも１つのプロセッサによって、関心対象の次元を受信することであって、前記関心対象の次元が、前記決定された一組の次元に存在しない、受信することと、
前記少なくとも１つのプロセッサによって、前記広告キャンペーン、前記一組の次元、及び前記関心対象の次元に少なくとも部分的に基づいて、サブユニット広告キャンペーンを作成することと、
前記少なくとも１つのプロセッサによって、前記サブユニット広告キャンペーンの実行と関連付けられた測定データを受信することと、を含み
前記決定すること、前記関心対象の次元を定義すること、前記サブユニット広告キャンペーンを定義すること、及び受信することのうちの少なくとも１つが、１つ以上のコンピュータによって実施される、方法。
【請求項２】
第２の関心対象の次元に少なくとも部分的に基づいて、前記関心対象の次元を定義することを更に含み、前記第２の関心対象の次元が、前記関心対象の次元を表す、請求項１に記載の方法。
【請求項３】
前記関心対象の次元が、人口統計学的特性、挙動パターン、又は地理的領域を表す、請求項１に記載の方法。
【請求項４】
ファーストパーティ測定データ、セカンドパーティ測定データ、又はサードパーティ測定データに基づいて、前記サブユニット広告キャンペーンの前記実行と関連付けられた前記測定データを処理することを更に含む、請求項１に記載の方法。
【請求項５】
前記サブユニット広告キャンペーンの前記実行と関連付けられた前記測定データを分析することを更に含む、請求項１に記載の方法。
【請求項６】
前記サブユニット広告キャンペーンを作成することが、
前記関心対象の次元の次元値に少なくとも部分的に基づいて、前記サブユニット広告キャンペーンを作成することを更に含む、請求項１に記載の方法。
【請求項７】
前記関心対象の次元の第２の次元値に少なくとも部分的に基づいて、第２のサブユニット広告キャンペーンを作成することを更に含む、請求項１に記載の方法。
【請求項８】
前記広告キャンペーン用のデータを集約するために第２のソースが使用する第２の一組の次元を決定することと、
一組の不足次元を決定することであって、前記一組の不足次元は、前記ソースが前記広告キャンペーン用のデータを集約するために使用する前記一組の次元内に存在し、前記第２の一組の次元内に存在しない、決定することと、
前記広告キャンペーン、前記第２の一組の次元、前記一組の不足次元、及び前記関心対象の次元に少なくとも部分的に基づいて、第２のサブユニット広告キャンペーンを作成することと、を更に含む、請求項１に記載の方法。
【請求項９】
前記第２のサブユニット広告キャンペーンの実行と関連付けられた第２の測定データを受信することと、
前記サブユニット広告キャンペーンの前記実行と関連付けられた前記測定データに少なくとも部分的に基づいて、前記第２の測定データを処理することと、を更に含む、請求項８に記載の方法。
【請求項１０】
システムであって、
メモリと、
前記メモリに連結された少なくとも１つのプロセッサと、を備え、前記少なくとも１つのプロセッサが、
広告キャンペーン用のデータを集約するためにソースが使用する一組の次元を決定することと、
関心対象の次元を受信することであって、前記関心対象の次元が、前記決定された一組の次元に存在しない、受信することと、
前記広告キャンペーン、前記一組の次元、及び前記関心対象の次元に少なくとも部分的に基づいて、サブユニット広告キャンペーンを作成することと、
前記サブユニット広告キャンペーンの実行と関連付けられた測定データを受信することと、を行うように構成されている、システム。
【請求項１１】
前記少なくとも１つのプロセッサが、
第２の関心対象の次元に少なくとも部分的に基づいて、前記関心対象の次元を定義するように更に構成され、前記第２の関心対象の次元が、前記関心対象の次元を表す、請求項１０に記載のシステム。
【請求項１２】
前記少なくとも１つのプロセッサが、
前記サブユニット広告キャンペーンの前記実行と関連付けられた前記測定データを分析するように更に構成されている、請求項１０に記載のシステム。
【請求項１３】
前記サブユニット広告キャンペーンを作成するために、前記少なくとも１つのプロセッサが、
前記関心対象の次元の次元値に少なくとも部分的に基づいて、前記サブユニット広告キャンペーンを作成するように構成されている、請求項１０に記載のシステム。
【請求項１４】
前記少なくとも１つのプロセッサが、
前記関心対象の次元の第２の次元値に少なくとも部分的に基づいて、第２のサブユニット広告キャンペーンを作成するように更に構成されている、請求項１０に記載のシステム。
【請求項１５】
前記少なくとも１つのプロセッサが、
前記広告キャンペーン用のデータを集約するために第２のソースが使用する第２の一組の次元を決定することと、
一組の不足次元を決定することであって、前記一組の不足次元は、前記ソースが前記広告キャンペーン用のデータを集約するために使用する前記一組の次元内に存在し、前記第２の一組の次元内に存在しない、決定することと、
前記広告キャンペーン、前記第２の一組の次元、前記一組の不足次元、及び前記関心対象の次元に少なくとも部分的に基づいて、第２のサブユニット広告キャンペーンを作成することと、
前記第２のサブユニット広告キャンペーンの実行と関連付けられた第２の測定データを受信することと、
前記サブユニット広告キャンペーンの前記実行と関連付けられた前記測定データに少なくとも部分的に基づいて、前記第２の測定データを処理することと、を行うように更に構成されている、請求項１０に記載のシステム。
【請求項１６】
非一時的コンピュータ可読デバイスであって、そこに記憶された命令を有し、前記命令は、少なくとも１つのコンピューティングデバイスによって実行されると、前記少なくとも１つのコンピューティングデバイスに、
広告キャンペーン用のデータを集約するためにソースが使用する一組の次元を決定することと、
関心対象の次元を受信することであって、前記関心対象の次元が、前記決定された一組の次元に存在しない、受信することと、
前記広告キャンペーン、前記一組の次元、及び前記関心対象の次元に少なくとも部分的に基づいて、サブユニット広告キャンペーンを作成することと、
前記サブユニット広告キャンペーンの実行と関連付けられた測定データを受信することと、を含む、動作を実施させる、非一時的コンピュータ可読デバイス。
【請求項１７】
前記動作が、
第２の関心対象の次元に少なくとも部分的に基づいて、前記関心対象の次元を定義することを更に含み、前記第２の関心対象の次元が、前記関心対象の次元を表す、請求項１６に記載の非一時的コンピュータ可読デバイス。
【請求項１８】
前記動作が、
前記サブユニット広告キャンペーンの前記実行と関連付けられた前記測定データを分析することを更に含む、請求項１６に記載の非一時的コンピュータ可読デバイス。
【請求項１９】
前記作成することが、
前記関心対象の次元の次元値に少なくとも部分的に基づいて、前記サブユニット広告キャンペーンを作成することを含む、請求項１６に記載の非一時的コンピュータ可読デバイス。
【請求項２０】
前記動作が、
前記関心対象の次元の第２の次元値に少なくとも部分的に基づいて、第２のサブユニット広告キャンペーンを作成することを更に含む、請求項１６に記載の非一時的コンピュータ可読デバイス。
【発明の詳細な説明】
【背景技術】
【０００１】
デジタルマーケティングは、企業及び組織が、どのように顧客及び個人との関係を確立し、成長させるかを変化させてきた。デジタルマーケティングは、デジタルプラットフォームを介した広告キャンペーンの作成及び実行を伴う。このプロセスの一部として、デジタルマーケタ（又は広告主）は、そのデジタル広告キャンペーンの成功を測定することに関心を有し得る。デジタルマーケタは、ページのインプレッション、クリック、ウェブサイトのヒット、カードへの追加、及び実際の購入などのいくつかのユーザエンゲージメントを追跡することに関心を有し得る。デジタルマーケタは、この情報を使用して、その広告キャンペーンの効率を決定し、その将来のキャンペーンのためのより良好な判断を行い得る。
【０００２】
従来、デジタルマーケタは、広告キャンペーンを使用して、潜在的消費者をデジタルマーケタのオンラインストアに駆り立てる。デジタルマーケタは、その広告キャンペーンの成功を測定するために、異なるタイプのデータに依存し得る。例えば、デジタルマーケタは、その自身のウェブサイトで直接的に、顧客の挙動、行動、又は関心に関するデータを収集し得る。このデータは、多くの場合、デジタルマーケタがそのウェブサイトで直接的にデータを収集するため、ファーストパーティデータと称される。デジタルマーケタは、その自身のウェブサイトで直接的にデータを収集するため、データは、多くの場合、その顧客に関する非常に詳細な情報を含有する。
【０００３】
デジタルマーケタはまた、データアグリゲータなどの外部ソースから顧客の挙動、行動、又は関心に関するデータを受信し得る。このデータは、多くの場合、サードパーティデータと称される。ファーストパーティデータとは異なり、サードパーティデータは、サードパーティウェブサイトなどのデジタルマーケタによって制御されないエンティティにおいて収集され得る。オンラインデータに加えて、サードパーティデータはまた、オフライントラフィック及び売上などのオフラインデータを含み得る。サードパーティデータは、多くの場合、あらゆる関心のあるデジタルマーケタに利用可能とされる。しかし、このサードパーティデータは、多くの場合、ファーストパーティデータよりも少ない情報を有する。例えば、サードパーティデータは、多くの場合、広告キャンペーン成果を改善するのに有用であり得る個々の顧客レベルデータ（例えば、ウェブサイトの相互作用又はリピート売上の詳細）を有しない。サードパーティデータの詳細な情報の欠如は、多くの場合、データが集約形態で提供されることに起因する。デジタルマーケタは、その特定の顧客に関する固有の洞察を提供しないため、かつその競合相手に広くアクセス可能であるため、サードパーティデータを非常に有用であると見出さない場合がある。
【０００４】
より最近では、デジタルマーケタは、そのデジタル広告キャンペーンの成功を測定するために、セカンドパーティデータに依存し得る。セカンドパーティデータは、デジタルマーケタによって制御されないソースで収集されるが、デジタルマーケタに対してソースによって利用可能とされているデータであり得る。言い換えると、デジタルマーケタは、ソースから直接的にセカンドパーティデータを受信し得る。例えば、デジタルマーケタは、デジタルマーケタと直接的に自身の顧客データを共有することを望んでいるソース（例えば、Ａｍａｚｏｎ．ｃｏｍ（登録商標））との協定を有し得る。サードパーティデータとは異なり、セカンドパーティデータは、概して、いかなる関心のあるデジタルマーケタにも販売されない。更に、セカンドパーティデータは、多くの場合、サードパーティデータよりも粒度が細かくなり得る。
【０００５】
デジタルマーケタは、サードパーティデータよりもいくつかの利点を提供し得るため、セカンドパーティデータに依存し得る。第１に、競合相手は、セカンドパーティデータへのアクセスを有しない場合がある。第２に、セカンドパーティデータは、サードパーティデータよりも粒度が細かくなり得る。
【０００６】
しかし、セカンドパーティは、それらの顧客が誰であるかという完全な可視性をデジタルマーケタに提供しない場合がある。これは、２つの理由に起因する。第１に、デジタルマーケタは、不完全なセカンドパーティデータを受信し得る。第２に、デジタルマーケタは、集約形態でセカンドパーティデータを受信し得る。両方の問題は、多くの場合、プライバシ又は法的制限による基礎となる未加工データを提供することができないことに起因するか、又はソースが基礎となる未加工データを提供しないための競争上の理由を有するためである。
【０００７】
完全な、粒度の細かい、セカンドパーティのデータなしでは、デジタルマーケタは、その広告キャンペーンの成果を効果的に測定することができない場合がある。したがって、デジタルマーケタは、セカンドパーティデータを使用して、デジタルマーケタの顧客のより大きい、より完全な像を形成する手法を必要とする。言い換えると、デジタルマーケタは、ファーストパーティデータがデジタルマーケタに利用不可能であるか、又はアクセス不可能であるときに、ファーストパーティデータに可能な限り近づく手法を必要とする。
【図面の簡単な説明】
【０００８】
添付の図面は、本明細書に組み込まれ、本明細書の一部を形成する。
【０００９】
【図１】本開示の実施形態が実装され得る例示的な動作環境の機能ブロック図である。
【００１０】
【図２】例示的な実施形態による、セカンドパーティ測定データを分析するためのシステムのブロック図である。
【００１１】
【図３】例示的な実施形態による、サブユニット広告キャンペーンからのセカンドパーティ測定データを処理するためのシステムのブロック図である。
【００１２】
【図４】例示的な実施形態による、広告キャンペーンを分析するためのプロセスのフローチャートである。
【００１３】
【図５】様々な実施形態を実装するために有用な例示的なコンピュータシステムである。
【００１４】
図面では、同様の参照番号は、概して、同一又は類似の要素を示す。加えて、概して、参照番号の左端の桁（複数可）は、その参照番号が最初に現れる図面を識別する。
【発明を実施するための形態】
【００１５】
以下の説明では、本開示の実施形態の完全な理解を提供するために、数多くの具体的な詳細が記載される。しかしながら、構造、システム、及び方法を含む実施形態は、これらの具体的な詳細なしで実施され得ることが、当業者には明らかであろう。本明細書の説明及び表現は、当該技術分野で経験のある者すなわち当業者によって、それらの作業を他の当業者に最も効果的に伝えるために使用される通常の手段である。他の例では、本開示の態様を不必要に不明瞭にすることを回避するために、周知の方法、手順、構成要素、及び回路は、詳細に説明されていない。
【００１６】
「一実施形態（one embodiment）」、「一実施形態（an embodiment）」、「例示的な実施形態（an example embodiment）」などの本明細書での言及は、説明される実施形態が、特定の特徴、構造、又は特性を含み得るが、全ての実施形態が、特定の特徴、構造、又は特性を必ずしも含まなくてもよいことを示す。更に、このような句は、必ずしも同一の実施形態を言及するものではない。更に、特定の特徴、構造、又は特性が実施形態と関連して記載される場合、明確に記載されているかどうかに関わりなく、他の実施形態と関連するこのような特徴、構造、又は特性への影響は、当業者の知見内であるものとする。
１．概要
【００１７】
本明細書では、セカンドパーティデジタルマーケティングデータを分析するためのシステム、装置、デバイス、方法及び／若しくはコンピュータプログラム製品の実施形態、並びに／又はそれらの組み合わせ及び部分組み合わせが提供される。具体的には、実施形態は、セカンドパーティデータを他のデータ（例えば、他のセカンドパーティデータ又はサードパーティデータ）と組み合わせて、ファーストパーティデータに近似することを伴う。これらの実施形態の更なる詳細を説明する前に、デジタルマーケティングが何か、広告メッセージ（又は「広告」）がどのようにユーザで標的化されるか、及びデジタルマーケティングキャンペーンの成功がどのように測定されるかを含む、デジタルマーケティングの簡単な概要が提供される。
１．１デジタル広告キャンペーン
【００１８】
高位では、マーケティングは、広告主をその視聴者と接続することを伴う。これは、企業又は組織の単一の概念又はテーマを視聴者と共有する一連の広告を通して様々な広告キャンペーンを作成及び実行することを伴い得る。広告は、多くの場合、創造的な着想又は技能の結果であるため、「クリエイティブ」と称される。
【００１９】
従来のマーケティングでは、クリエイティブは、当業者によって理解されるように、新聞広告、テレビコマーシャル、ラジオ広告、広告板、又は任意の他のタイプのクリエイティブであり得る。デジタルマーケティングでは、クリエイティブは、静的クリエイティブ、フラッシュクリエイティブ、又はリッチメディアクリエイティブであり得る。静的クリエイティブは、ＧＩＦ又はＪＰＥＧなどの動かない画像又はグラフィックであり得る。フラッシュクリエイティブは、自己アニメーション化されている画像又はグラフィックであり得る。リッチメディアクリエイティブは、ユーザが対話し得る画像又はグラフィックであり得る。例えば、ユーザは、マウスオーバー、又はマウスクリックを通して、リッチメディアクリエイティブと対話し得る。
１．２デジタル広告キャンペーン標的化
【００２０】
広告主は、特定のユーザを標的化する広告キャンペーンを作成することを望む場合がある。これは、広告主が、効率的な広告の広がりを可能にするように、広告主のマーケティング努力が関連消費者に到達するのを確保することを望み得るためである。広告主は、マーケティング通信チャネルを使用して特定のユーザを標的化し得る。マーケティング通信チャネルは、広告主と標的ユーザとの間の接続を作成するために使用される任意の通信チャネルであり得る。
【００２１】
従来のマーケティングでは、マーケティング通信チャネルは、新聞、ラジオ、テレビ、広告板、電話、又は訪問販売を含み得る。デジタルマーケティングでは、マーケティング通信チャネルは、ウェブサイト、ブログ、ソーシャルメディアネットワーク、又は検索エンジンを含み得る。広告主は、多くの場合、その標的視聴者がその時間を費やす場所に基づいて広告キャンペーン用のマーケティング通信チャネルを選択する。これは、広告キャンペーンが関連するユーザに到達することを確保する。
【００２２】
従来のマーケティングでは、広告主は、特定のユーザを標的化するマーケティングチャネルを使用して広告キャンペーンを作成及び実行し得る。例えば、広告主は、特定のテレビ局上の特定のテレビ番組を視聴する視聴者を標的化し得る。同様に、デジタルマーケティングでは、広告主は、特定のユーザを標的化するマーケティングチャネルを使用して広告キャンペーンを作成及び実行し得る。しかしながら、デジタルマーケティングは、広告主がより効果的にユーザを標的化することを可能にすることによって、従来のマーケティングを改善する。
【００２３】
デジタルマーケティングでは、広告主は、１つ以上のパラメータに基づいて、どのユーザを標的化するかを定義し得る。広告主は、人口統計学的検討、挙動パターン、又は地理的場所に基づいてユーザをセグメント化するために、これらのパラメータを使用し得る。例えば、人口統計学的セグメント化では、広告主は、性別、年齢、収入、居住地、教育、婚姻状態、人種、又は世帯規模などのパラメータに基づいて、視聴者を分割し得る。挙動的セグメント化では、広告主は、特定の消費パターンに基づいて視聴者を分割し得る。例えば、広告主は、過去の購入履歴又は閲覧履歴などのパラメータに基づいて、視聴者を分割し得る。地理的セグメント化では、広告主は、地理的領域に基づいて視聴者を分割し得る。例えば、広告主は、郵便番号などのパラメータに基づいて視聴者を分割し得る。広告主は、ユーザがいつアクティブであるか、ユーザが製品を使用する頻度、及びユーザが以前の訪問者であるか否かなどの様々な他のタイプのパラメータに基づいて、視聴者を分割し得る。
【００２４】
広告キャンペーンにどのユーザを標的化するかを定義した後、広告主は、ウェブサイト、ブログ、ソーシャルメディアネットワーク、又は検索エンジンなどのデジタルマーケティングチャネルに広告キャンペーンを発行し得る。例えば、広告主は、広告キャンペーンのクリエイティブをウェブサイト、ブログ、ソーシャルメディアネットワーク、又は検索エンジンにアップロードし得る。いくつかの場合、広告主は、デジタルマーケティングチャネルを制御し得る。言い換えると、広告主は、デジタルマーケティングチャネルの発行者であってもよい。いくつかの他の場合、デジタルマーケティングチャネルは、外部発行者によって実行されてもよい。この後者の場合、広告主は、どのユーザを広告キャンペーンに標的化するかを定義するパラメータを発行者に提供し得る。
【００２５】
標的化を実装するために、発行者は、広告主がその広告キャンペーンからのクリエイティブを発行し得る、そのウェブサイト、ブログ、ソーシャルメディアネットワーク、又は検索エンジン上の様々な広告配置を提供し得る。広告配置は、広告主が広告キャンペーンからの広告を標的化目的のために配置するように選択し得る、ウェブサイト、ブログ、ソーシャルメディアネットワーク、又は検索エンジン上の特定のエリアグループであってもよい。いくつかの場合、広告主は、ウェブサイト、ブログ、ソーシャルメディアネットワーク、又は検索エンジン上の特定の場所を有する広告配置を単に選択することによって広告キャンペーンを標的化し得る。いくつかの他の場合、広告主は、広告キャンペーンのパラメータが、ユーザ、ユーザデバイスの特性、又はウェブサイト、ブログ、ソーシャルメディアネットワーク若しくは検索エンジンの内容に合致するか否かに基づいて、広告キャンペーンを表示するように、発行者によって構成されている広告配置を選択することによって広告キャンペーンを標的化し得る。
１．３デジタル広告キャンペーン効果の測定
【００２６】
ユーザを標的化することに加えて、広告主はまた、デジタル広告キャンペーンの有効性を測定することも望む。デジタル広告キャンペーンがどの程度有効であるかを測定するための様々な方法が存在する。これらの方法の多くは、従来のマーケティングでは利用不可能である。これは、従来のマーケティングとデジタルマーケティングとが異なる通信モデルを使用するためである。例えば、従来のマーケティングでは、広告キャンペーンは、外向きマーケティングを提供し得る。外向きマーケティングでは、広告主は、広告キャンペーンを消費者と共有し得るが、消費者は、広告主と逆方向に通信することができない場合がある。例えば、潜在的消費者がテレビ上の広告メッセージを閲覧し、その後、製品を店内で購入する場合、広告主が購入行動を広告メッセージに逆方向に結び付ける方法が存在しない場合がある。
【００２７】
対照的に、デジタルマーケティングでは、広告キャンペーンは、内向きマーケティングを提供し得る。内向き結合マーケティングでは、広告主は、消費者と広告キャンペーンを共有し得、消費者は、広告主と逆方向に通信し得る。例えば、デジタルマーケティングでは、潜在的消費者がウェブサイト上の広告メッセージを閲覧するか、又は消費者が広告メッセージをクリックして製品を購入する場合、広告主は、その行動（例えば、閲覧又はクリック）を広告メッセージに逆方向に結び付けることができ得る。したがって、内向きマーケティングは、広告主が広告キャンペーンに即時消費者応答を引き出すことを可能にする。内向きマーケティングは、消費者が広告主と逆方向に通信することを可能にするため、広告主は、広告キャンペーンに応答して消費者から様々なタイプのデータを収集することができる。広告主は、多くの場合、このデータを使用して広告キャンペーンの成果を評価し、必要に応じてマーケティング戦略を転換し得る。
【００２８】
広告主は、広告キャンペーンに応答して、消費者から様々なタイプのデータを収集し得る。例えば、広告主は、個々の消費者にクリエイティブが表示された回数を表すインプレッションを収集し得る。広告主は、消費者がクリエイティブをクリックした回数を表すクリエイティブに対するクリックを収集し得る。広告主は、クリエイティブに対するクリックスルーレートを収集し得る。クリックスルーレートは、クリックされたクリエイティブのインプレッションの割合を表し得る。これは、クリエイティブのクリック数を、クリエイティブのインプレッション数で除算することによって計算され得る。広告主は、クリエイティブに対するコンバージョンを収集し得る。コンバージョンは、クリエイティブをクリックした後に消費者によって行われた一組の所望の行動のうちの１つを表し得る。例えば、コンバージョン行動は、当業者によって理解されるように、購入、フォームの記入、サービスへの加入、又は様々な他の行動を行うことを含み得る。最後に、広告主は、クリエイティブに対するコンバージョンレートを収集し得る。コンバージョンレートは、所望の行動を結果的にもたらした、クリエイティブのクリックの割合を表し得る。これは、クリエイティブのコンバージョン数をクリエイティブのクリック数によって除算することによって計算され得る。
【００２９】
加えて、広告主は、広告キャンペーンの有効性をより良好に評価するために、様々な関心対象のレベルでこのデータを収集し得る。例えば、広告主は、広告キャンペーンレベルでデータを収集し得る。広告キャンペーンレベルで収集されたデータは、広告キャンペーンが、全ての発行者、配置、及びクリエイティブにわたって、どの程度良好に全体的に行われているかを測定し得る。広告主はまた、発行者レベルでデータを収集してもよい。発行者レベルで収集されたデータは、キャンペーンが、発行者での全ての広告配置にわたって、どの程度良好に行われているかを測定し得る。最後に、広告主は、クリエイティブレベルでデータを収集し得る。クリエイティブレベルで収集されたデータは、個々のクリエイティブが、全ての発行者及び配置にわたってどの程度良好に行われているかを測定し得る。
【００３０】
このデータを収集した後、広告主は、データを使用して、その顧客に関するより多くの情報、その広告キャンペーンがどの程度有効であるか、及びその広告戦略を今後どのように変化させるかを決定し得る。広告主は、収集されたデータを広告キャンペーンと関連付けられた標的化情報と組み合わせることによって、この情報を決定し得る。例えば、広告主は、Ｗａｓｈｉｎｇｔｏｎ，ＤＣエリアのユーザに販売するための製品を広告する広告キャンペーンを作成及び実行し得る。この広告キャンペーンは、広告キャンペーン内でクリエイティブをクリックし、製品を購入する人々の割合を収集し得る。広告キャンペーンの標的化パラメータと連結されたこのコンバージョンレート（conversation rate）は、したがって、その製品がＷａｓｈｉｎｇｔｏｎ，ＤＣエリアでどの程度人気があるかの指標を提供し得る。
【００３１】
広告主はまた、様々なタイプの実験的試験を行うことによって、異なる広告キャンペーンの成果を比較し得る。例えば、広告主は、Ａ／Ｂ試験又はバンディット試験を行い得る。Ａ／Ｂ試験は、ユーザの行動に影響を及ぼし得る１つの変化を除いて同一である、等しい割合（５０／５０）の何らかの２つのバージョン（Ａ及びＢ）を比較することを伴う。バージョンＡは、現在使用されているバージョン（対照例）であり得、一方、バージョンＢは、いくつかの点で修正され得る。デジタル広告の場合、Ａ／Ｂ試験は、関心対象の帰結（例えば、広告キャンペーンのクリックスルーレート）を増加させる広告キャンペーンへの変化を識別することを伴い得る。例えば、広告主は、１つの次元を除いて同一である２つの広告キャンペーンを作成し得る。広告主は、次いで、ユーザの５０％が対照広告キャンペーンを受信し、ユーザの５０％が改変広告キャンペーンを受信するように、２つの広告キャンペーンを設定し得る。広告主は、次いで、ある期間、２つの広告キャンペーンを実行し得る。期間が経過した後、広告主は、改変広告キャンペーンへの修正が、関心対象の帰結（例えば、クリックスルーレート）を増加させたか否かを決定し得る。
【００３２】
広告主はまた、バンディット試験を行い得る。バンディット試験では、３つ以上の選択肢が同時に試験され、より多くのトラフィック（例えば、ユーザ）は、より小さい割合のトラフィックに対する他の選択肢を実行及び評価し続けながら、所与の時点で最も成功した選択肢（例えば、最高のコンバージョンレートを有する広告キャンペーン）に差し向けられる。バンディット試験は、試験のリアルタイム成果に反応してトラフィックを連続的にシフトすることを伴う。言い換えると、バンディット試験は、Ａ／Ｂ試験とは異なり、適応的であり得る。
１．４デジタル広告効果の測定
【００３３】
上で考察されたように、広告主は、ウェブサイト、ブログ、ソーシャルメディアネットワーク、又は検索エンジンなどのデジタルマーケティングチャネルに広告キャンペーンを発行し得る。この広告キャンペーンの一部として収集されたデータのタイプは、ファーストパーティデータであり得る。ファーストパーティデータは、その消費者と直接関係を介して広告主又は発行者によって収集される消費者の挙動、行動、又は関心に関するデータであり得る。例えば、ファーストパーティデータは、広告主のウェブサイトで直接的に収集され得る。データが広告主のウェブサイトで直接的に収集されるため、広告主は、個々の顧客（例えば、顧客が何をするか、顧客が何を買うかなど）への完全な可視性を有し得る。更に、このデータが、広告主又は発行者のいずれかによって収集されるため、２つのタイプのファーストパーティデータ、すなわち、広告主ファーストパーティデータ及び発行者ファーストパーティデータが存在する。デジタルマーケタは、多くの場合、その顧客に関する価値のある情報を知り、その広告キャンペーンを評価し、変化させるために、ファーストパーティデータを使用する。
【００３４】
ファーストパーティデータは、セカンドパーティデータ及びサードパーティデータなどの他のタイプのデータと比較して、いくつかの利点を有し得る。第１に、ファーストパーティデータは、広告主又は発行者によって直接的に収集され得るため、多くの場合、最高品質及び最も価値のあるタイプのデータである。第２に、ファーストパーティデータは、広告主又は発行者のウェブサイトで取り込まれるため、広告主又は発行者にコストがかからない状態で収集され得る。対照的に、デジタルマーケタは、セカンドパーティデータ及びサードパーティデータを購入する必要があり得る。最後に、ファーストパーティデータが、消費者と直接関係を介して広告主又は発行者によって直接的に収集されるため、セカンドパーティデータ及びサードパーティデータの収集と比較して、プライバシの懸念がより少ない。
【００３５】
ファーストパーティデータのこれらの利点にもかかわらず、デジタルマーケタは、多くの場合、セカンドパーティデータ及びサードパーティを使用して、デジタルマーケタの顧客に関する追加情報を知り、デジタルマーケタの広告キャンペーンを評価することに関心がある。例えば、いくつかの場合、デジタルマーケタは、その顧客に関する追加情報を知り、ファーストパーティデータ、セカンドパーティデータ、及びサードパーティデータを組み合わせることによって、デジタルマーケタの広告キャンペーンを評価し得る。
【００３６】
デジタルマーケタは、多くの場合、サードパーティデータを使用して、デジタルマーケタのデジタル広告キャンペーンの成功を測定する。サードパーティデータは、他のプラットフォーム上で生成され、デジタルマーケタに集約形式で提供される顧客の挙動、行動、又は関心に関するデータであり得る。言い換えると、サードパーティデータは、消費者と直接関係を有しないエンティティによって収集される情報である。様々な企業及び組織は、サードパーティデータを広告主に販売し得る。広告主は、サードパーティデータを使用して、広告主の顧客がウェブを動き回るときに、その顧客の好み及び挙動に関する詳細なプロファイルの全体像をつかみ得る。しかし、サードパーティデータは、多くの場合、広告主にとってあまり有用ではない。これは、サードパーティデータが、広告主の消費者と直接関係を有しないエンティティによって収集されるためである。その結果、サードパーティデータは、多くの場合、より低品質である。
【００３７】
より最近では、デジタルマーケタは、デジタル広告キャンペーンの成功を測定するために、セカンドパーティデータに依存し始めている。セカンドパーティデータは、デジタルマーケタが別のソースから直接的に取得するファーストパーティデータであり得る。例えば、デジタルマーケタは、小売業者で直接的に収集された顧客情報を受信するために小売業者（例えば、Ａｍａｚｏｎ．ｃｏｍ（登録商標）又はＷａｌｍａｒｔ（登録商標））と取引し得る。言い換えると、セカンドパーティデータは、「ファーストパーティ」が別のエンティティにデータを与える状況を伴う。
【００３８】
セカンドパーティデータは、多くの場合、ファーストパーティデータ及びサードパーティデータと比較して、デジタルマーケタにいくつかの利点を提供する。第１に、デジタルマーケタの競合相手は、多くの場合、セカンドパーティデータへのアクセスを有しない。第２に、デジタルマーケタは、セカンドパーティデータを使用して、デジタルマーケタの顧客のより大きい、より完全な像を形成し得る。これは、多くの場合、デジタルマーケタが到達することができなかった視聴者へのアクセスをセカンドパーティデータがデジタルマーケタに与えるためである。
【００３９】
しかし、デジタルマーケタは、多くの場合、セカンドパーティデータを用いて作業するときに課題に遭遇する。第１に、デジタルマーケタは、不完全なセカンドパーティデータを受信し得る。第２に、デジタルマーケタは、セカンドパーティデータがどのように集約されたかを知らずに、セカンドパーティデータを集約形態で受信し得る。結果として、デジタルマーケタは、それらの顧客に関する情報を知ること、又はセカンドパーティデータに基づくデジタルマーケタの広告キャンペーンの有効性を決定することができない場合がある。
【００４０】
例として、デジタルマーケタは、ソースからデータを収集するために広告キャンペーンを作成及び実行し得る。例えば、デジタルマーケタは、ソースで週毎に販売された製品の数を知ることに関心があることを示し得る。しかし、デジタルマーケタは、例えば、週毎に新たな顧客に販売された製品の数、週毎に既存の顧客に販売された製品の数、又は週毎に新たな及び既存の顧客に販売された製品の数などの、ソースがどのようにデータを集約するかを知らない場合がある。言い換えると、デジタルマーケタは、ソースがどのようにデータを集約するかについて全く制御することができない。したがって、セカンドパーティデータが、多くの場合、不完全であるか、又はそれがどのように集約されたかが不明であるため、デジタルマーケタは、セカンドパーティデータに基づく広告キャンペーンの有効性を測定することができない場合がある。当然の結果として、デジタルマーケタは、その広告戦略を有効に変化させることができない場合がある。
２．例示的な動作環境
【００４１】
図１は、本開示の実施形態が実装され得る例示的な動作環境の機能ブロック図１００を例示する。ブロック図１００は、第１のデバイス１０２、第２のデバイス１０４、及び第３のデバイス１０６を含む。第１のデバイス１０２、第２のデバイス１０４、及び第３のデバイス１０６は、ネットワーク１０８と通信するように構成され得る。様々な実施形態では、ネットワーク１０８は、非限定的に、有線及び／又は無線イントラネット、エクストラネット、インターネット、セルラ、Ｂｌｕｅｔｏｏｔｈ、及び／又は任意の他のローカル、短距離、アドホック、地域的、グローバル通信ネットワーク、並びにそれらの任意の組み合わせを含み得る。
【００４２】
第１のデバイス１０２は、コンピュータシステム（例えば、スタンドアロンコンピュータシステム、サーバコンピュータシステム、又はクラスタコンピュータシステム）である。第１のデバイス１０２は、広告主によって制御及び構成され得る。第１のデバイス１０２は、測定データ１１４（例えば、押圧、クリック、クリックスルーレート、コンバージョンなど）を含む。第１のデバイス１０２は、そのユーザから直接的に測定データ１１４を収集する。したがって、測定データ１１４は、ファーストパーティデータであり得る。測定データ１１４は、第１のデバイス１０２の個々のユーザの挙動、行動、又は関心に関するデータを含み得る。例えば、測定データ１１４は、第１のデバイス１０２の個々のユーザの年齢、性別、人種、又は場所に関するデータを含み得る。したがって、測定データ１１４は、より粒度の細かいレベルで取り込まれ得る。これは、測定データ１１４が第１のデバイス１０２で直接的に取り込まれるため、可能である。
【００４３】
第２のデバイス１０４は、コンピュータシステム（例えば、スタンドアロンコンピュータシステム、サーバコンピュータシステム、又はクラスタコンピュータシステム）である。第２のデバイス１０４は、第１のデバイス１０２を制御及び構成する広告主以外のエンティティによって制御及び構成され得る。例えば、第２のデバイス１０４は、Ａｍａｚｏｎ．ｃｏｍ，Ｉｎｃ．又はＷａｌｍａｒｔ，Ｉｎｃ．などの小売業者によって制御及び構成され得る。第２のデバイス１０４は、測定データ１１６（例えば、押圧、クリック、クリックスルーレート、コンバージョンなど）を含む。第２のデバイス１０４は、そのユーザから直接的に測定データ１１６を収集する。したがって、第２のデバイス１０４の視点から、測定データ１１６は、ファーストパーティデータである。測定データ１１６は、第２のデバイス１０４の個々のユーザの挙動、行動、又は関心に関するデータを含み得る。例えば、測定データ１１６は、第２のデバイス１０４の個々のユーザの年齢、性別、人種、又は場所に関するデータを含み得る。したがって、測定データ１１６は、より粒度の細かいレベルで取り込まれ得る。これは、測定データ１１６が第２のデバイス１０２で直接的に取り込まれるため、可能である。
【００４４】
いくつかの実施形態では、第１のデバイス１０２は、第２のデバイス１０４とのデータ交換の合意を有し得る。第１のデバイス１０２は、第２のデバイス１０４から測定データ１１６を受信するように構成され得る。したがって、第１のデバイス１０２の視点から、測定データ１１６は、セカンドパーティデータである。しかし、第１のデバイス１０２は、測定データ１１６をその未加工形態で受信しない場合がある。例えば、第１のデバイス１０２は、第２のデバイス１０４の個々のユーザの年齢、性別、人種、又は場所に関する情報なしの測定データ１１６を受信し得る。代わりに、第１のデバイス１０２は、第２のデバイス１０４から測定データ１１６を集約形態で受信し得る。
【００４５】
第３のデバイス１０６は、コンピュータシステム（例えば、スタンドアロンコンピュータシステム、サーバコンピュータシステム、又はクラスタコンピュータシステム）である。第３のデバイス１０６は、第１のデバイス１０２及び第２のデバイス１０４を制御及び構成するエンティティとは異なるエンティティによって制御及び構成され得る。例えば、第３のデバイス１０６は、Ａｃｘｉｏｍ  Ｉｎｃ．などのデータアグリゲータによって制御及び構成され得る。
【００４６】
第３のデバイス１０６は、測定データ１１８（例えば、押圧、クリック、クリックスルーレート、コンバージョンなど）を含む。測定データ１１８は、サードパーティデータソース１１０及びサードパーティデータソース１１２から一緒に集約された、第３のデバイス１０６の測定データを含み得る。サードパーティデータソース１１０及びサードパーティデータソース１１２は、当業者によって理解されるように、ウェブサイト、検索エンジン、ソーシャルメディアネットワーク、又は他のデータソースとすることができる。測定データ１１８は、したがって、サードパーティデータソース１１０及びサードパーティデータソース１１２にわたるユーザの挙動、行動、又は関心に関する一般化されたデータを含み得る。言い換えると、測定データ１１８は、個々のユーザレベルの代わりに、広範なレベルでデータを取り込み得る。
【００４７】
いくつかの実施形態では、第１のデバイス１０２は、第３のデバイス１０４とのデータ交換の合意を有し得る。第１のデバイス１０２は、第３のデバイス１０４から測定データ１１８を受信するように構成され得る。したがって、第１のデバイス１０２の視点から、測定データ１１８は、サードパーティデータである。
【００４８】
同様に、いくつかの実施形態では、第２のデバイス１０４は、第３のデバイス１０４とのデータ交換の合意を有し得る。第２のデバイス１０４は、第３のデバイス１０４から測定データ１１８を受信するように構成され得る。したがって、第２のデバイス１０４の視点から、測定データ１１８はまた、サードパーティデータである。
【００４９】
上で考察されたように、第１のデバイス１０２は、第２のデバイス１０４とのデータ交換の合意を有し得る。第１のデバイス１０２は、第２のデバイス１０４から測定データ１１６を受信するように構成され得る。第１のデバイス１０２の広告主は、第２のデバイス１０４で広告キャンペーンを作成及び実行することによって、第２のデバイス１０４から受信するための測定データ１１６のタイプを定義し得る。例えば、広告主は、標的化されたユーザの測定データ（例えば、押圧、クリック、クリックスルーレート、コンバージョンなど）を収集する広告キャンペーンを作成し得る。広告主は、１つ以上のパラメータに基づいて、どのユーザを標的化するかを定義し得る。広告主は、人口統計学的検討、挙動パターン、又は地理的場所に基づいてユーザをセグメント化するために、これらのパラメータを使用し得る。広告主は、どの測定データを収集するかを更に定義し得る。例えば、広告主は、標的化されたユーザのインプレッション、クリック、クリックスルーレート、コンバージョン、又はコンバージョンレート（conversation rate）を収集する広告キャンペーンを作成し得る。広告主は、結果的に得られた測定データ１１６に基づいて広告キャンペーンの成果を評価し得る。
【００５０】
しかし、多くの場合、第１のデバイス１０２の広告主は、広告主が将来の広告キャンペーンを有効に標的化する手法を提供しない測定データ１１６を受信する。これは、測定データ１１６が、多くの場合、不完全であるため、又は第２のデバイス１０４がどのように測定データ１１６を集約したかを第１のデバイス１０２の広告主が内々に関与しないためである。
【００５１】
例えば、第１のデバイス１０２の広告主は、広告キャンペーンを見た後に第２のデバイス１０４で製品を購入した人々の数を収集する、第２のデバイス１０４での広告キャンペーンを作成及び実行し得る。これに応じて、第１のデバイス１２０は、この広告キャンペーンに対応する測定データ１１６を受信する。しかし、結果的に得られた測定データは、購入者が男性若しくは女性、若年若しくは老齢、又は新たな若しくは既存の顧客であったか否かに関する情報を含まない場合がある。この不足情報は、広告主が、そのユーザに関する新たな事柄を知ることを可能にし得る。例えば、広告主は、広告キャンペーンを見た後に第２のデバイス１０４で製品を購入した、Ｗａｓｈｉｎｇｔｏｎ，Ｄ．Ｃ．エリアからの人々の人数を知ることを望み得る。加えて、この不足情報は、広告主が将来の広告主の広告をより有効に標的化することを可能にし得る。例えば、広告主は、既存の顧客である購入者に集中する広告キャンペーンではなく、新たな顧客である購入者に集中する広告キャンペーンに対して、より多くの費用を費やすことを望む場合がある。
【００５２】
加えて、広告主は、不足情報を考慮して、広告キャンペーンの成果に基づいて広告キャンペーンを自動的に修正するように第１のデバイス１０４を構成することを望む場合がある。例えば、広告主は、購入者が米国又は欧州からの購入者であるか否かに応じて、広告キャンペーンのコンバージョンレート（conversation rate）成果を自動的に比較するように第１のデバイス１０４を構成することを望む場合がある。広告主は、米国又は欧州からの購入者のコンバージョンレートがより高いか否かに基づいて、広告キャンペーンを米国又は欧州のユーザに自動的に再標的化するように第１のデバイス１０４を構成することを更に望む場合がある。
【００５３】
不足情報に加えて、第１のデバイス１０２の広告主は、第２のデバイス１０４がどのように測定データ１１６を集約するかに内々に関与しない場合がある。これは、測定データ１１６を他のファーストパーティデータ、セカンドパーティデータ、又はサードパーティデータと比較するための広告主の能力を低減させ得る。例えば、第１のデバイス１０２の広告主は、広告キャンペーンを見た後に第２のデバイス１０４（例えば、Ａｍａｚｏｎ．ｃｏｍ）で製品を購入した人々の数を収集する、第２のデバイス１０４での広告キャンペーンを作成及び実行し得る。第１のデバイス１０２の広告主はまた、セカンドパーティ測定データを提供する別のデバイス（例えば、Ｗａｌｍａｒｔ．ｃｏｍ）でも同じ広告キャンペーンを実行し得る。広告主は、第２のデバイス１０４及び他のデバイスの両方での広告キャンペーンの成果を確実に比較することを望む場合がある。しかし、これは、第２のデバイス１０６からの測定データ１１６が、他のデバイスからの測定データとは異なって集約され得るため、不可能である場合がある。同様に、第１のデバイス１０２の広告主は、測定データ１１６を他のファーストパーティデータ、セカンドパーティデータ、又はサードパーティデータと組み合わせることを望む場合がある。しかし、これは、測定データ１１６が、他のファーストパーティデータ、セカンドパーティデータ、又はサードパーティデータとは異なって集約され得るため、不可能である場合がある。
３．セカンドパーティ測定データを分析するためのシステム及び方法
【００５４】
図２は、例示的な実施形態による、セカンドパーティ測定データを分析するためのシステム２００のブロック図である。システム２００は、実際のファーストパーティデータがデジタルプラットフォームから利用不可能であるか、又はアクセス不可能であるときに、デジタルプラットフォームのファーストパーティデータに近似する広告キャンペーンを生成及び実行する方法に関する技術的問題を解決する。システム２００は、広告キャンペーン及びデジタルプラットフォーム上の関心対象の次元に基づいて、サブユニット広告キャンペーンを動的に作成及び実行することによって、この技術的問題を解決する。サブユニット広告キャンペーンの作成は、セカンドパーティデータが、他のデータ（例えば、他のセカンドパーティデータ又はサードパーティデータ）と組み合わせられて、デジタルマーケタがアクセスを有しないデジタルプラットフォーム上のファーストパーティに近似することを可能にし得る。更に、サブユニット広告キャンペーンの作成は、セカンドパーティデータが他のデータとは異なって集約されている場合でも、デジタルマーケタが、セカンドパーティデータを他のデータ（例えば、他のセカンドパーティデータ又はサードパーティデータ）と組み合わせることを可能にし得る。最後に、サブユニット広告キャンペーンの作成は、ファーストパーティデータの直接取り込みと関連付けられた計算及びメモリコストを低減し得る。図２は、図１を参照して考察されているが、本開示は、その例示的な実施形態に限定されない。
【００５５】
図２の例では、データ処理モジュール２０４は、広告キャンペーン２０２及び関心対象の次元２０８を受信する。これに応じて、データ処理モジュール２０４は、広告キャンペーン２０２及び関心対象の次元２０８に基づいて、サブユニット広告キャンペーン２０６を生成する。
【００５６】
いくつかの実施形態では、広告キャンペーン２０２は、第１のデバイス１０２の広告主によって定義される広告キャンペーンであり得る。広告主は、１つ以上のパラメータに基づいてユーザを標的化する広告キャンペーン２０２を作成し得る。広告主は、人口統計学的検討、挙動パターン、又は地理的場所に基づいてユーザをセグメント化するために、これらのパラメータを使用し得る。広告キャンペーン２０２は、第２のデバイス１０４（例えば、Ａｍａｚｏｎ．ｃｏｍ又はＷａｌｍａｒｔ．ｃｏｍ）などのソースで実行され得る。これに応じて、第２のデバイス１０４は、キャンペーン２０２を広告するための測定データ１１６を生成し得る。第１のデバイス１０２は、この測定データ１１６を受信し得る。
【００５７】
例えば、第１のデバイス１０２の広告主は、広告キャンペーン２０２を見た後、先週に第２のデバイス１０４で製品を購入した人々の人数を収集するように、広告キャンペーン２０２を作成し得る。第２のデバイス１０４での広告キャンペーン２０２の実行に応答して、第１のデバイス１２０は、広告キャンペーン２０２に対応する測定データ１１６を受信し得る。
【００５８】
しかし、この測定データ１１６は、不完全であり得る。例えば、第１のデバイス１０２の広告主は、広告キャンペーン２０２を見た後に第２のデバイス１０４で製品を購入した、ある地理的領域内の人々の人数を収集することを望む場合がある。しかし、広告キャンペーン２０２に対応する測定データ１１６は、この情報を有しない場合がある。
【００５９】
いくつかの実施形態では、データ処理モジュール２０４は、この不足データ問題を解決し得る。第１に、データ処理モジュール２０４は、ソース（例えば、第２のデバイス１０４）が、広告キャンペーン２０２についての測定データ１１６を集約するために使用する一組の次元を決定し得る。例えば、データ処理モジュール２０４は、第２のデバイス１０４が測定データ１１６を集約するために使用する一組の次元が製品及び週を含むことを決定し得る。当業者には理解されるように、データ処理モジュール２０４は、当業者によって理解されるように、ウェブサービス、構成ファイル、又は他の機構を使用して、一組の次元を決定し得る。
【００６０】
いくつかの実施形態では、一組の次元を決定した後、データ処理モジュール２０４は、関心対象の次元２０８を受信し得る。第１のデバイス１０２の広告主は、関心対象の次元２０８をデータ処理モジュール２０４に入力し得る。関心対象の次元２０８は、測定されたデータ１１６から不足している任意のデータの次元であり得る。関心対象の次元２０８は、当該技術分野において理解されるように、行動、人口統計学的特性、地理的領域、又は他のタイプの次元に対する呼び出しであり得る。関心対象の次元２０８は、セカンドパーティデータ又はサードパーティデータから選択され得る。例えば、関心対象の次元２０８は、郵便番号であってもよく、一組の郵便番号値は、セカンドパーティデータ又はサードパーティデータ内に記憶され得る。
【００６１】
いくつかの実施形態では、関心対象の次元２０８を受信した後、データ処理モジュール２０４は、広告キャンペーン２０２、決定された一組の次元、及び関心対象の次元２０８に基づいて、サブユニット広告キャンペーン２０６を生成し得る。例えば、データ処理モジュール２０４は、広告キャンペーン２０２と同等であるが、関心対象の次元１０８によって修正される、サブユニット広告キャンペーン２０６を生成し得る。データ処理モジュール２０４は、関心対象の次元２０８の値の範囲内の各値に対して、個々のサブユニット広告キャンペーン２０６を生成し得る。いくつかの他の実施形態では、データ処理モジュール２０４は、関心対象の次元２０８の定義された一組の値内の各値に対して、個々のサブユニット広告キャンペーン２０６を生成し得る。いくつかの実施形態では、第１のデバイス１０４の広告主は、関心対象の次元２０８に利用可能な一組の値を定義し得る。
【００６２】
例えば、広告キャンペーン２０２が、先週に第２のデバイス１０４で製品を購入した人々の人数を収集し、かつ関心対象の次元２０８が、郵便番号である場合、データ処理モジュール２０４は、各郵便番号値についてのサブユニット広告キャンペーン２０６を生成し得る。例えば、２０００１の郵便番号地について、データ処理モジュール２０４は、先週に第２のデバイス１０４で製品を購入した、２０００１の郵便番号の人々の人数を収集するサブユニット広告キャンペーン２０６を生成し得る。
【００６３】
いくつかの実施形態では、データ処理モジュール２０４がサブユニット広告キャンペーン２０６を生成した後、サブユニット広告キャンペーン２０６は、ソース（例えば、第２のデバイス１０４）で同時に実行され得る。これに応じて、ソースは、各サブユニット広告キャンペーン２０６の測定データ２１０を生成し得る。ソースは、各サブユニット広告キャンペーン２０６の測定データ２１０を、更なる分析のために第１のデバイス１０２などのデバイスに送信し得る。したがって、第１のデバイス１０４の視点から、各サブユニット広告キャンペーン２０６の測定データ２１０は、セカンドパーティデータを表す。各サブユニット広告キャンペーン２０６の測定データ２１０は、広告キャンペーン２０２の測定データ１１６の全体の一部分を表す。例えば、各サブユニット広告キャンペーン２０６の測定データ２１０は、先週に第２のデバイス１０４で製品を購入した人々の総数ではなく、先週に第２のデバイス１０４で製品を購入した、所与の郵便番号内の人々の人数を含み得る。
【００６４】
いくつかの実施形態では、データ処理モジュール２０４は、サブユニット広告キャンペーン２１０、決定された一組の次元のサブユニット広告キャンペーン２１０、及び別の関心対象の次元に基づいて、サブサブユニット広告キャンペーンを生成するように構成され得る。サブサブユニット広告キャンペーンは、第２のデバイス１０４などのソースで同時に実行され得る。これに応じて、ソースは、各サブサブユニット広告キャンペーンの測定データを生成し得る。当業者には理解されるように、データ処理モジュール２０４は、再帰的アルゴリズムを使用してサブサブユニット広告キャンペーンを生成するように構成され得る。
【００６５】
図３は、例示的な実施形態による、サブユニット広告キャンペーンからの測定データを処理するためのシステムのブロック図である。図３は、図１及び図２を参照して考察されるが、本開示は、これらの例示的な実施形態に限定されない。
【００６６】
図３の例では、分析モジュール３０２は、各サブユニット広告キャンペーン２０６の測定データ２１０を受信する。いくつかの実施形態では、分析モジュールは、他の測定データ３０８（例えば、他のファーストパーティ測定データ、セカンドパーティ測定データ、又はサードパーティ測定データ）を受信し得る。これに応じて、分析モジュール３０２は、新たな広告戦略３０４及び／又は新たなユーザ情報３０６を出力し得る。
【００６７】
いくつかの実施形態では、分析モジュール３０２は、新たなユーザ情報を知るために、サブユニット広告キャンペーン２０６の測定データ２１０を分析し得る。例えば、第１のデバイス１０４の広告主は、全体として先週に第２のデバイス１０４で製品を購入した人々の人数とは対照的に、先週に第２のデバイス１０４で製品を購入した、Ｗａｓｈｉｎｇｔｏｎ，Ｄ．Ｃ．からの人々の人数を決定することを望む場合がある。分析モジュール３０２は、サブユニット広告キャンペーン２０６の測定データ２１０の分析に基づいて、この新たなユーザ情報３０６を出力するように構成され得る。
【００６８】
いくつかの実施形態では、分析モジュール３０２は、異なるサブユニット広告キャンペーン２０６の成果を、異なるサブユニット広告キャンペーン２０６の関連付けられた測定データ２１０に基づいて比較し得る。例えば、分析モジュール３０２は、先週に第２のデバイス１０４で製品を購入した新たな顧客の人数を収集するサブユニット広告キャンペーン２０６が、先週に第２のデバイス１０４で製品を購入した既存の顧客の人数を収集するサブユニット広告キャンペーン２０６よりも高い購入コンバージョンレートを有するか否かを決定するように構成され得る。いくつかの実施形態では、分析モジュール３０２は、様々なタイプの実験的試験を使用して、異なるサブユニット広告キャンペーン２０６の成果を更に比較し得る。例えば、分析モジュール３０２は、異なるサブユニット広告キャンペーン２０６のＡ／Ｂ試験又はバンディット試験を行い得る。分析モジュール３０２は、比較に基づいて新たな広告戦略（例えば、新たな広告戦略３０４）を出力するように構成され得る。例えば、分析モジュール３０２は、特定のサブユニット広告キャンペーン２０６が別のサブユニット広告キャンペーン２０６よりも選択されるべきであることを示す新たな広告戦略３０４を出力し得る。いくつかの実施形態では、分析モジュール３０２は、新たな広告戦略３０４に基づいて、新たな又は修正された広告キャンペーンを自動的に選択及び実行し得る。
【００６９】
いくつかの実施形態では、分析モジュール３０２は、１つ以上のサブユニット広告キャンペーン２０６の測定データ２１０を、他の測定データ３０８と組み合わせ得る。いくつかの実施形態では、他の測定データ３０８は、ファーストパーティデータ、セカンドパーティデータ、又はサードパーティデータを含み得る。いくつかの実施形態では、分析モジュール３０２は、１つ以上のサブユニット広告キャンペーン２０６の測定データ２１０と他の測定データ３０８との間の次元の差を決定し得る。次元の差が存在すると分析モジュール３０２が決定した場合、データ処理モジュール２０４は、１つ以上のサブユニット広告キャンペーン２０６及び不足する関心対象の次元に基づいて新たな広告キャンペーンを作成することによって、この差を取り除くために使用され得る。いくつかの他の実施形態では、分析モジュール３０２は、１つ以上のサブユニット広告キャンペーン２０６の測定データ２１０を、他の測定データ３０８と、それらの共有された次元に基づいて組み合わせ得る。分析モジュール３０２は、組み合わせられた測定データの分析に基づいて、新たなユーザ情報３０６を出力するように構成され得る。いくつかの他の実施形態では、分析モジュール３０２は、組み合わせられた測定データの分析に基づいて、新たな広告戦略３０４を出力するように構成され得る。
【００７０】
図４は、一実施形態による、広告キャンペーンを分析するための方法４００のフローチャートである。方法４００は、ハードウェア（例えば、回路、専用論理、プログラマブル論理、マイクロコードなど）、ソフトウェア（例えば、処理デバイス上で実行する命令）、又はそれらの組み合わせを含み得る処理論理によって実施され得る。本明細書に提供される開示を実施するために全ての工程が必要とされなくてもよいことが理解されるべきである。更に、当業者に理解されるように、いくつかの工程は、同時に実施されてもよく、又は図４に示されるものとは異なる順序で実施されてもよい。
【００７１】
方法４００は、図１、図２、及び図３を参照して説明されることになる。しかしながら、方法４００は、これらの例示的な実施形態に限定されない。
【００７２】
４０２では、データ処理システム２０４は、広告キャンペーン２０２を受信する。広告キャンペーン２０２は、広告キャンペーン２０２に対応するセカンドパーティ測定データを生成するソース（例えば、第２のデバイス１０４）上で実行することができる。
【００７３】
４０４では、データ処理システム２０４は、ソース（例えば、第２のデバイス１０４）が、広告キャンペーン２０２のデータを集約するために使用する一組の次元を決定する。いくつかの実施形態では、データ処理モジュール２０４は、当業者によって理解されるように、ウェブサービス、構成ファイル、又は他の機構を使用して、一組の次元を決定し得る。
【００７４】
４０６では、データ処理システム２０４は、関心対象の次元２０８を受信する。関心対象の次元２０８は、決定された一組の次元に存在しなくてもよい。いくつかの実施形態では、広告主は、関心対象の次元２０８を定義し得る。いくつかの実施形態では、関心対象の次元２０８は、セカンドパーティデータ又はサードパーティデータから選択され得る。例えば、関心対象の次元２０８は、郵便番号であり得、一組の郵便番号値は、セカンドパーティデータ又はサードパーティデータ内に記憶され得る。
【００７５】
４０８では、データ処理システム２０４は、広告キャンペーン２０２、決定された一組の次元、及び関心対象の次元２０８に基づいて、サブユニット広告キャンペーン２０６を作成する。いくつかの実施形態では、データ処理システム２０４は、関心対象の次元２０８の値の範囲内の各値についてのサブユニット広告キャンペーン２０６を作成し得る。例えば、データ処理システム２０４は、利用可能な郵便番号値の範囲内の各郵便番号値についてのサブユニット広告キャンペーン２０６を作成し得る。
【００７６】
４１０では、分析モジュール３０２は、各サブユニット広告キャンペーン２０６の実行と関連付けられた測定データ２１０を受信する。受信された測定データ２１０は、ファーストパーティデータに近似し得る。言い換えると、ソース（例えば、第２のデバイス１０４）上で広告キャンペーン２０２を実行することに応答して返される既存のセカンドパーティデータとのセカンドパーティデータ又はサードパーティデータからの関心対象の次元２０８の組み合わせは、ソースが広告キャンペーン２０２について直接的に収集する、ファーストパーティに近似し得る。
【００７７】
４１２では、分析モジュール３０２は、各サブユニット広告キャンペーン２０６と関連付けられた測定データ２１０を分析して、新たなユーザ情報３０６又は新たな広告戦略３０４を出力する。いくつかの実施形態では、分析モジュール３０２は、測定データ２１０をファーストパーティデータ、セカンドパーティデータ、又はサードパーティデータなどの他の測定データと組み合わせることによって、測定データ２１０を分析する。いくつかの実施形態では、分析モジュール３０２は、機械学習技術を使用して測定データ２１０を分析する。いくつかの実施形態では、分析モジュール３０２は、異なるサブユニット広告キャンペーン２０６の実験的試験を行うことに関連して測定データ２１０を分析する。
４．例示的なコンピュータシステム実装
【００７８】
様々な実施形態は、例えば、図５に示されるコンピュータシステム５００などの１つ以上のコンピュータシステムを使用して実装され得る。コンピュータシステム５００は、例えば、図４の方法４００を実装するために使用され得る。例えば、コンピュータシステム５００は、ルックアップテーブルを使用して、トーン空間の一部分のリソースブロック割り当てを決定し得る。コンピュータシステム５００は、いくつかの実施形態による、決定されたリソースブロック割り当てに基づいて、リソースブロックに複数のトーンを更にマッピングし得る。コンピュータシステム５００は、本明細書に説明される機能を実行することができる任意のコンピュータであり得る。
【００７９】
コンピュータシステム５００は、本明細書に説明される機能を実行することができる任意の周知のコンピュータであり得る。
【００８０】
コンピュータシステム５００は、プロセッサ５０４などの１つ以上のプロセッサ（中央処理ユニット、又はＣＰＵとも呼ばれる）を含む。プロセッサ５０４は、通信基盤又はバス５０６に接続される。
【００８１】
１つ以上のプロセッサ５０４は、各々、グラフィックス処理ユニット（graphics processing unit、ＧＰＵ）であってもよい。一実施形態では、ＧＰＵは、数学的に集中的なアプリケーションを処理するように設計された特殊な電子回路であるプロセッサである。ＧＰＵは、コンピュータグラフィックスアプリケーション、画像、ビデオなどに共通の数学的に集中的なデータなどの、データの大規模ブロックの並列処理に効率的である並列構造を有し得る。
【００８２】
コンピュータシステム５００はまた、ユーザ入力／出力インターフェース５０２を介して通信基盤５０６と通信する、モニタ、キーボード、ポインティングデバイスなどのユーザ入力／出力デバイス（複数可）５０３も含む。
【００８３】
コンピュータシステム５００はまた、ランダムアクセスメモリ（random access memory、ＲＡＭ）などのメイン又は一次メモリ５０８も含む。メインメモリ５０８は、１つ以上のキャッシュレベルを含み得る。メインメモリ５０８は、制御論理（すなわち、コンピュータソフトウェア）及び／又はデータを記憶している。
【００８４】
コンピュータシステム５００はまた、１つ以上の二次記憶デバイス又はメモリ５１０も含み得る。二次メモリ５１０は、例えば、ハードディスクドライブ５１２及び／又は取り外し可能な記憶デバイス若しくはドライブ５１４を含み得る。取り外し可能な記憶ドライブ５１４は、フロッピーディスクドライブ、磁気テープドライブ、コンパクトディスクドライブ、光学記憶デバイス、テープバックアップデバイス、及び／又は任意の他の記憶デバイス／ドライブとすることができる。
【００８５】
取り外し可能な記憶デバイス５１４は、取り外し可能な記憶ユニット５１８と相互作用し得る。取り外し可能な記憶ユニット５１８は、コンピュータソフトウェア（制御論理）及び／又はデータを記憶しているコンピュータ使用可能又は可読記憶デバイスを含む。取り外し可能な記憶ユニット５１８は、フロッピーディスク、磁気テープ、コンパクトディスク、ＤＶＤ、光学記憶ディスク、及び／任意の他のコンピュータデータ記憶デバイスとすることができる。取り外し可能な記憶ドライブ５１４は、周知の様式で、取り外し可能な記憶ユニット５１８に対して読み出し及び／又は書き込みを行う。
【００８６】
例示的な実施形態によると、二次メモリ５１０は、コンピュータプログラム並びに／又は他の命令及び／若しくはデータが、コンピュータシステム５００によってアクセスされることを可能にするための他の手段、機器、又は他のアプローチを含み得る。そのような手段、機器又は他のアプローチとしては、例えば、取り外し可能な記憶ユニット５２２及びインターフェース５２０が挙げられ得る。取り外し可能な記憶ユニット５２２及びインターフェース５２０の例としては、プログラムカートリッジ及びカートリッジインターフェース（ビデオゲームデバイスに見られるものなど）、取り外し可能なメモリチップ（ＥＰＲＯＭ又はＰＲＯＭなど）及び関連ソケット、メモリスティック及びＵＳＢポート、メモリカード及び関連メモリカードスロット、並びに／又は任意の他の取り外し可能な記憶ユニット及び関連インターフェースが挙げられ得る。
【００８７】
コンピュータシステム５００は、通信又はネットワークインターフェース５２４を更に含み得る。通信インターフェース５２４は、コンピュータシステム５００が、遠隔デバイス、遠隔ネットワーク、遠隔エンティティなど（参照番号５２８によって個々に、かつ集合的に参照される）の任意の組み合わせと通信及び相互作用することを可能にする。例えば、通信インターフェース５２４は、コンピュータシステム５００が、有線及び／又は無線であり得、かつＬＡＮ、ＷＡＮ、インターネットなどの任意の組み合わせを含み得る、通信経路５２６を介して遠隔デバイス５２８と通信することを可能にし得る。制御論理及び／又はデータは、通信経路５２６を介してコンピュータシステム５００に、及びコンピュータシステム５００から送信され得る。
【００８８】
一実施形態では、有形の非一時的装置、又は有形の非一時的コンピュータ使用可能又は可読媒体を備える製造物品は、そこに記憶された制御論理（ソフトウェア）を有し、本明細書では、コンピュータプログラム製品又はプログラム記憶デバイスとも称される。これは、限定されるものではないが、コンピュータシステム５００と、メインメモリ５０８と、二次メモリ５１０と、取り外し可能な記憶ユニット５１８及び５２２と、上記の任意の組み合わせを具現化する有形の製造物品と、を含む。そのような制御論理は、１つ以上のデータ処理デバイス（コンピュータシステム５００など）によって実行されると、そのようなデータ処理デバイスを本明細書に説明されるように動作させる。
【００８９】
本開示に含有される教示に基づいて、図５に示されるもの以外のデータ処理デバイス、コンピュータシステム及び／又はコンピュータアーキテクチャを使用して、本開示の実施形態をどのように作製及び使用するかは、当業者には明らかであろう。具体的には、実施形態は、本明細書に説明されるもの以外のソフトウェア、ハードウェア、及び／又はオペレーティングシステムの実装を用いて動作することができる。
【００９０】
「発明を実施するための形態」のセクション、及びいかなる他のセクションも、特許請求の範囲を解釈するために使用されることは意図されていないことを理解されたい。他のセクションは、本発明者（複数可）によって想定される、１つ以上であるが全てではない例示的な実施形態を記載し得るが、決して本開示及び添付の特許請求の範囲を限定することを意図するものではない。
【００９１】
本開示は、例示的な分野及び用途のための例示的な実施形態を説明しているが、本開示はそれらに限定されないことを理解されたい。他の実施形態及びそれらに対する修正が可能であり、それらは、本開示の範囲及び趣旨の範囲内である。例えば、この段落の一般性を限定することなく、実施形態は、図面に例示された、及び／又は本明細書に説明された、ソフトウェア、ハードウェア、ファームウェア、及び／又はエンティティに限定されない。更に、実施形態（本明細書に明示的に説明されているか否かにかかわらず）は、本明細書に説明された例を超える分野及び用途に有意な有用性を有する。
【００９２】
実施形態が、特定の機能の実装、及びそれらの関係を例示する機能的ビルディングブロックを用いて説明されてきた。これらの機能的ビルディングブロックの境界は、説明の便宜上、本明細書において任意に定義されている。特定の機能及び関係（又はそれらの等価物）が適切に実施される範囲で、代替の境界が定義され得る。また、代替的な実施形態は、本明細書に説明されるものとは異なる順序を使用して、機能ブロック、工程、動作、方法などを実施し得る。
【００９３】
「一実施形態（one embodiment）」、「一実施形態（an embodiment）」、「例示的な実施形態（an exemplary embodiment）」などの言及は、説明された実施形態が特定の特徴、構造、又は特性を含み得るが、全ての実施形態が特定の特徴、構造、又は特性を必ずしも含まなくてもよいことを示す。更に、このような句は、必ずしも同一の実施形態を言及するものではない。更に、一実施形態に関連して特定の性質、構造、又は特性について記載する場合、本明細書で明確に言及されている又は記載されているかどうかに関わりなく、このような特徴、構造、又は特性を他の実施形態に組み込むことは、当業者の知見内である。加えて、いくつかの実施形態は、その派生物と共に「連結された」及び「接続された」表現を使用して説明され得る。これらの用語は、必ずしも互いに同義語として意図されるものではない。例えば、いくつかの実施形態は、２つ以上の要素が互いに直接物理的又は電気的に接触していることを示すために、「接続された」及び／又は「連結された」という用語を使用して説明され得る。しかしながら、「連結された」という用語はまた、２つ以上の要素が互いに直接接触していないが、依然として互いに協働又は相互作用することも意味し得る。
【００９４】
本開示の広がり及び範囲は、上記の例示的な実施形態のいずれによっても限定されるべきではないが、以下の特許請求の範囲及びそれらの等価物によってのみ定義されるべきである。
【図１】
2021523439.tif 000003
【図２】
2021523439.tif 000004
【図３】
2021523439.tif 000005
【図４】
2021523439.tif 000006
【図５】
2021523439.tif 000007
【国際調査報告】
2021523439.tif 000008